(57)【特許請求の範囲】
【請求項１】
セントラルシャッタを制御するための装置であって、
円環形状のブレード支持体（１）には複数のシャッタブレード（３）が旋回アーム（４）により旋回可能に支持されており、前記シャッタブレード（３）の旋回運動のための調節装置として、シャッタ開口部（２）に対して同心に前記ブレード支持体（１）には環形状のカムディスク（５）が一方向において連続的に回転可能に支持されており、該カムディスク（５）の回転が、カムの調節傾斜部（６）の回転方向の前方におけるカムの谷間（８）への機械的な係合により阻止可能である形式の装置において、
当該機械的な阻止のために、前記カムディスク（５）の面に対して垂直に移動可能であるストローク式ソレノイドのタペット（９、１０）が設けられていること
を特徴とする装置。
【請求項２】
前記タペット（９、１０）には、前記ストローク式ソレノイドに支持されて軸方向に作用する機械的なばねが付設されており、該ばねには、前記ストローク式ソレノイドの通電時に前記タペット（９、１０）の引き込みにより張力を付勢することができること
を特徴とする、請求項１に記載の装置。
【請求項３】
２つのストローク式ソレノイドが設けられており、該ストローク式ソレノイドは、該ストローク式ソレノイドのタペット（９、１０）が前記シャッタブレード（３）の開位置において前記カムの調節傾斜部（６）を係止するか、又は前記シャッタブレード（３）の閉位置において前記カムの調節傾斜部（６）を係止するように位置決めされていること
を特徴とする、請求項２に記載の装置。
【請求項４】
前記ブレード支持体（１）には、前記カムディスク（５）と係合状態にあり前記カムディスク（５）により駆動可能な歯付きディスク（１２）が回転可能に支持されており、該歯付きディスクの複数の歯部（１３）が、回転方向において、前記カムディスク（５）のカムの調節傾斜部（６）に対応する歯部傾斜部と、カムの谷間（８）の形状に適合された形状部とを有し、そして前記ストローク式ソレノイドが該歯付きディスク（１２）を係止するために位置決めされていること
を特徴とする、請求項１に記載の装置。
【請求項５】
２つのストローク式ソレノイドが設けられており、該ストローク式ソレノイドは、該ストローク式ソレノイドのタペット（９、１０）が前記シャッタブレード（３）の開位置において歯部傾斜部を係止するか、又は前記シャッタブレード（３）の閉位置において歯部傾斜部を係止するように位置決めされていること
を特徴とする、請求項４に記載の装置。
【請求項６】
前記ブレード支持体（１）には、前記カムディスク（５）と係合状態にあり前記カムディスク（５）により駆動可能であり、そして周部に配設され互いに離間され且つ対称的に形成された複数の歯形部（１５）を備えた歯形部付きディスク（１４）が回転可能に支持されており、前記歯形部（１５）はストローク式ソレノイドを用いて係止可能であること
を特徴とする、請求項１に記載の装置。
【請求項７】
前記ブレード支持体（１）には、一腕式のラッチレバー（１６、１７）が旋回可能に支持されており、該ラッチレバーはラッチヘッド（１８）を有し、該ラッチヘッドは前記歯形部付きディスク（１４）の歯形部（１５）と当接状態にもたらすことができること
を特徴とする、請求項６に記載の装置。
【請求項８】
前記ラッチレバー（１６、１７）は、前記ラッチヘッド（１８）が前記歯形部付きディスク（１４）に向かって旋回可能であるように第２板ばね（２１）と連結されていること
を特徴とする、請求項７に記載の装置。
【請求項９】
前記ラッチレバー（１６、１７）は、前記ラッチヘッド（１８）が前記歯形部（１５）の間へ旋回挿入された位置において、ストローク式ソレノイドの前記タペット（９、１０）により係止可能であること
を特徴とする、請求項８に記載の装置。
【請求項１０】
２つのラッチレバー（１６、１７）が設けられており、該ラッチレバーは各々、前記カムディスク（５）と係合状態にある歯形部（１５）が前記カムディスク（５）を前記シャッタブレード（３）の閉位置に保持する位置になるように前記ラッチヘッド（１８）の額部（１９）が歯形部（１５）を係止するか、又は前記カムディスク（５）と係合状態にある歯形部（１５）が前記カムディスク（５）を前記シャッタブレード（３）の開位置に保持する位置になるように前記ラッチヘッド（１８）の顎部（２０）が歯形部（１５）を係止する位置に停止可能であること
を特徴とする、請求項９に記載の装置。
【請求項１１】
前記タペット（９、１０）のタペットヘッド（２２）は、円錐形状で先細りになっていること
を特徴とする、請求項１に記載の装置。
【請求項１２】
前記タペット（９、１０）のタペットヘッド（２２）は、セラミック表面を備えていること
を特徴とする、請求項１に記載の装置。
【請求項１３】
前記カムディスク（５）又は歯付きディスク（１２）又はラッチヘッド（１８）における前記タペットヘッド（２２）と当接する面（２３）が、前記タペットヘッド（２２）の円錐形状の先細り面と平行な傾斜を有すること
を特徴とする、請求項１１に記載の装置。
【発明の詳細な説明】
【技術分野】
【０００１】
本発明は、セントラルシャッタを制御するための装置に関する。
【背景技術】
【０００２】
下記特許文献１には、環形状（リング形状）のブレード支持体に複数のシャッタブレードが旋回可能に支持されている写真用セントラルシャッタ(Zentralverschluss)が記載されている。
【０００３】
当該セントラルシャッタにおいてシャッタブレードは、ポット形状（鉢形状）の旋回アームの外側の底部に固定されている。旋回アームのポット形状の開口部（凹部）には、シャッタブレードの旋回軸（ピン部材）が取り付けられている。各旋回アームの外側のポット縁部には、旋回運動を作動させるための調節装置が当接係合する。
【０００４】
旋回アームの旋回軸の周りには、旋回アーム内へ渦巻ばね(Spiralfeder)が取り付けられており、該渦巻ばねの一方の腕部は旋回アームに固定配置されており、該渦巻ばねの他方の自由腕部はブレード支持体に固定されている。セントラルシャッタの閉位置から開位置へのシャッタブレードの旋回時には、該渦巻ばねに張力が加えられる。
【０００５】
旋回運動のための調節装置として環形状のカムディスクが設けられている。シャッタ開口部の周りのカムディスクの回転時には、カムが各々、比較的急勾配の調節傾斜部（調節立ち上がり部）を介して個々の旋回アームを該旋回アームの旋回軸の周りの回転のために持ち上げる。セントラルシャッタの完全な開放は、シャッタブレードの旋回アームが各々渦巻ばねの張力（締め付け力）のもとカムヘッド上に載置する場合に達成される。この位置においてカムディスクの回転は停止（保持）されるか又は連続的に続行することができる。保持機能の完了後に旋回アームは渦巻ばねの張力に基づいてカムヘッドから下方にカムの谷間へ、即ちセントラルシャッタの閉位置へと戻される。この位置においてもカムディスクの回転は次のシャッタ開放に至るまで停止することができる。
【０００６】
カムディスクの停止（保持）のために二腕式のラッチ部材(Klinken)が設けられており、これらのラッチ部材は、同様にブレード支持体に旋回可能に支持されている。ラッチ部材は、該ラッチ部材の一方の腕部を用いてカムとカムの間の谷間へ下降して入り込み、該ラッチ部材の端面を用いてカム傾斜部との当接によりカムディスクの更なる回転を阻止（ブロック）する。ラッチ部材の他方の端部に係合する電気制御式の引き付け且つ押し出し用の電磁石(Zug- und Schubmagnet)を用い、ラッチ部材が保持位置（保持機能）から引き出されるか又はこの保持位置へ押し入れられる。
【０００７】
カムディスクの駆動のためにバネ力蓄積器が設けられており、該バネ力蓄積器は、予め張力が加えられた後に、一方向において、連続する迅速なカムディスクの回転をもたらす。カム傾斜部におけるラッチ部材の当接力(Anlagekraefte)は、蓄積されたバネ力に応じて極めて大きいものである。ラッチ部材をカム傾斜部から外すためには、それに応じて強い磁力が必要とされる。
【先行技術文献】
【特許文献】
【０００８】
【特許文献１】DE 10 2009 020 287 A1
【特許文献２】DE 10 2009 020 596 A1
【特許文献３】DE 28 27 857 C2
【発明の概要】
【発明が解決しようとする課題】
【０００９】
ラッチ部材をカム傾斜部から外すときに発生する摩擦力は、カムディスクの解放（リリース）時の不均等な遅れをもたらし、それにより不正確なシャッタ制御をもたらすことになる。ラッチ部材のレバーは、カムディスクの解放のために比較的大きな行程を進まなくてはならない。従って短いシャッタ時間の設定は困難であるか又はむしろ制限されることになる。不可欠な強い磁力を発生させるためには大きな電流値が必要とされるが、このような電流値では電気的なエネルギー蓄積器の容量に負担がかかり、その稼働時間を制限することになる。
【００１０】
従って本発明の基礎を成す課題は、上述したセントラルシャッタにおいて、より正確でより迅速で且つ省エネルギのシャッタ制御を可能とすることである。
【課題を解決するための手段】
【００１１】
上記課題は、本発明に従い、カムディスクの面内で旋回可能なラッチ部材に代わり、カムディスクの面に対して垂直に移動されるタペットを有するストローク式ソレノイド(Hubmagnet)が設けられる。
即ち、本発明の一視点により、セントラルシャッタを制御するための装置であって、円環形状のブレード支持体には複数のシャッタブレードが旋回アームにより旋回可能に支持されており、前記シャッタブレードの旋回運動のための調節装置として、シャッタ開口部に対して同心に前記ブレード支持体には環形状のカムディスクが一方向において連続的に回転可能に支持されており、該カムディスクの回転が、カムの調節傾斜部の回転方向の前方におけるカムの谷間への機械的な係合により阻止可能である形式の装置において、当該機械的な阻止のために、前記カムディスクの面に対して垂直に移動可能であるストローク式ソレノイドのタペットが設けられていることを特徴とする装置が提供される。
尚、本願の特許請求の範囲に付記されている図面参照符号は専ら本発明の理解の容易化のためのものであり、図示の形態への限定を意図するものではないことを付言する。
【発明を実施するための形態】
【００１２】
本発明において、以下の形態が可能である。
（形態１）セントラルシャッタを制御するための装置であって、円環形状のブレード支持体には複数のシャッタブレードが旋回アームにより旋回可能に支持されており、前記シャッタブレードの旋回運動のための調節装置として、シャッタ開口部に対して同心に前記ブレード支持体には環形状のカムディスクが一方向において連続的に回転可能に支持されており、該カムディスクの回転が、カムの調節傾斜部の前方におけるカムの谷間への機械的な係合により阻止可能である形式の装置において、当該機械的な阻止のために、前記カムディスクの面に対して垂直に移動可能であるストローク式ソレノイドのタペットが設けられていること。
（形態２）前記タペットには、前記ストローク式ソレノイドに支持されて軸方向に作用する機械的なばねが付設されており、該ばねには、前記ストローク式ソレノイドの通電時に前記タペットの引き込みにより張力を付勢することができることが好ましい。
（形態３）２つのストローク式ソレノイドが設けられており、該ストローク式ソレノイドは、該ストローク式ソレノイドのタペットが前記シャッタブレードの開位置において前記カムの調節傾斜部を阻止するか、又は前記シャッタブレードの閉位置において前記カムの調節傾斜部を阻止するように位置決めされていることが好ましい。
（形態４）前記ブレード支持体には、前記カムディスクと係合状態にあり前記カムディスクにより駆動可能な歯付きディスクが回転可能に支持されており、該歯付きディスクの複数の歯部が、回転方向において、前記カムディスクのカムの調節傾斜部に対応する歯部傾斜部と、カムの谷間の形状に適合された形状部とを有し、そして前記ストローク式ソレノイドが該歯付きディスクの阻止のために位置決めされていることが好ましい。
（形態５）２つのストローク式ソレノイドが設けられており、該ストローク式ソレノイドは、該ストローク式ソレノイドのタペットが前記シャッタブレードの開位置において歯部傾斜部を阻止するか、又は前記シャッタブレードの閉位置において歯部傾斜部を阻止するように位置決めされていることが好ましい。
（形態６）前記ブレード支持体には、前記カムディスクと係合状態にあり前記カムディスクにより駆動可能であり、そして周部に配設され互いに離間され且つ対称的に形成された複数の羽根部を備えた羽根付きディスクが回転可能に支持されており、前記羽根部はストローク式ソレノイドを用いて阻止可能であることが好ましい。
（形態７）前記ブレード支持体には、一腕式のラッチレバーが旋回可能に支持されており、該ラッチレバーはラッチヘッドを有し、該ラッチヘッドは前記羽根付きディスクの羽根部と当接状態にもたらすことができることが好ましい。
（形態８）前記ラッチレバーは、前記ラッチヘッドが前記羽根付きディスクに向かって旋回可能であるように第２板ばねと連結されていることが好ましい。
（形態９）前記ラッチレバーは、前記ラッチヘッドが前記羽根部の間へ旋回挿入された位置において、ストローク式ソレノイドの前記タペットにより阻止可能であることが好ましい。
（形態１０）２つのラッチレバーが設けられており、該ラッチレバーは各々、旋回位置であって、前記カムディスクと係合状態にある羽根部が前記カムディスクを前記シャッタブレードの閉位置において保持する位置において前記ラッチヘッドの額部が羽根部を阻止するか、又は前記カムディスクと係合状態にある羽根部が前記カムディスクを前記シャッタブレードの開位置において保持する位置において前記ラッチヘッドの顎部が羽根部を阻止するという旋回位置において阻止可能であることが好ましい。
（形態１１）前記タペットのタペットヘッドは、円錐形状で先細りになっていることが好ましい。
（形態１２）前記タペットのタペットヘッドは、セラミック表面を備えていることが好ましい。
（形態１３）阻止すべき構成部材における前記タペットヘッドと協働する面が、前記タペットヘッドの円錐形状の先細り面と平行な傾斜を有することが好ましい。
【００１３】
タペットはカムディスクを阻止（ブロック）するためにカムの谷間へ挿入される。タペットのストロークについては、比較的短い厚み（高さ）をもってカムディスクに設けられたカムを効果的に阻止するために、即ちカムディスクの回転を効果的に阻止するために、極めて短い行程が必要とされるだけである。ストローク式ソレノイドは、該ストローク式ソレノイドのタペットが静止位置においては電気的な供給を伴わずに機械的なばねにより磁石から外側へ突出しており且つ阻止状態の解除（リリース）のためだけに電磁的に引き込まれるように構成することができる。このようなストローク式ソレノイドの切替作動時間は極めて短く、従ってエネルギー需要は僅かである。
【００１４】
ストローク式ソレノイドの通常は円柱状ないし円筒状の金属タペットが、阻止すべきカムへの当接時にプラスチックからなるカム傾斜部（カム立ち上がり部）を損傷してしまうのであればそれは不利である。カムディスクの別の箇所におけるカム傾斜部は、絞りブレードの旋回アームの駆動のためにも用いられるので、そのような損傷は、不均等なブレードの運動を引き起こしてしまう。それに加え、機械的なバネ力蓄積器によりもたらされる、連続するカムの谷間の間における走行時間は、入り込むタペットによるカムディスクの損傷を回避するために、ストローク式ソレノイドの電気的な制御時間と極めて正確に調整（マッチング）されてなくてはならない。
【００１５】
従って本発明の一展開形態では、ブレード支持体において、歯部の付けられた平坦なディスクが回転可能に支持されている。歯部傾斜部（歯部の立ち上がり部）は（形状に関して）カムディスクのカムの急勾配の調節傾斜部に適合されている。歯部の間隔（ピッチ）は、カムディスクの回転時にカムの調節傾斜部の押し込みにより歯部傾斜部がはじき出された後に、次の歯部がカムの谷間の領域へ回転して入れられるように選択されている。この歯付きディスクは金属製とすることが可能である。該歯付きディスクの歯部傾斜部は、その回転時にはカムディスクのカムの調節傾斜部に沿ってスライドし、そして次のカムの調節傾斜部の当接時には平坦な当接(Anschlag)が行われるだけであるので、互いに対する損傷が回避される。歯付きディスクは、補助的な制動手段(Hemmmittel)を伴うことなく、カムディスクの回転により連行回転される。
【００１６】
カムディスクを停止（保持）するためにブレード支持体には（複数の）ストローク式ソレノイドが配設されており、該ストローク式ソレノイドのタペットは、該ブレード支持体の面に垂直に歯付きディスクの歯部と歯部の間の空所へ入り込み、そして該空所から出ていくことができる。これらのタペットは、シャッタブレードの旋回アームがカムの谷間に位置する（閉位置）か又はカムヘッド上に載置する（開位置）という回転位置において歯付きディスクと共にカムディスクが阻止可能であるように配設且つ位置決めされている。
【００１７】
この展開形態の長所は、カムディスクの領域ではプラスチック面と金属面が互いに接して沿うようにスライドし、それに対してタペットの領域では、衝突時には損傷がおこりずらい金属面が互いに相互作用するということにある。
【００１８】
本発明の別の一展開形態では、歯付きディスクが、同様に金属製の羽根付きディスクにより置き換えられ、該羽根付きディスクの羽根部は、歯付きディスクの歯部と同様にカムディスクのカムと係合状態にある。羽根付きディスクの羽根部の阻止のためには、ラッチヘッドを備えておりブレード支持体に旋回可能に支持された一腕式の（複数の）ラッチレバー（キャッチレバー Klinkenhebel）が設けられている。各々のラッチレバーは、片側において板ばねに当接しており、該板ばねは、該板ばねの張力によりラッチレバーのラッチヘッドを羽根付きディスクの羽根部の間の空所の方向へ押し付ける。
【００１９】
ラッチレバーの１つは、該ラッチレバーのラッチヘッドの額部が１つの羽根部を停止（保持）するように配設且つ位置決めされており、この際、羽根部の間の空所から外側へのラッチヘッドの旋回は、垂直にブレード支持体から突き出るストローク式ソレノイドのタペットにより阻止される。ストローク式ソレノイド内へタペットが引き込んだ後に、阻止されていた羽根部は該ラッチレバーのラッチヘッドの額部を下降するようにスライドし、該ラッチレバーを板ばねの作用に反して羽根付きディスクから離れる方向へ押し付ける。先に阻止されていた羽根部が該ラッチレバーのラッチヘッドを通り過ぎると直ちに、該ラッチヘッドは、張力の加えられた板ばねの作用のもと再び次の羽根部の間の空所へと押し入れられ、タペットの新たな繰り出しにより外側への旋回に対してロックされる。
【００２０】
他方のラッチレバーは、羽根部の間の空所へ旋回挿入されたラッチヘッドの顎部が羽根付きディスクの１つの羽根部の更なる回転を阻止するように配設且つ位置決めされている。ここでも羽根部と羽根部の間の空所から外側への該ラッチレバーの旋回が、垂直にブレード支持体から突き出るストローク式ソレノイドのタペットにより阻止（ブロック）される。ストローク式ソレノイド内へタペットが引き込んだ後に、阻止されていた羽根部はラッチヘッドの顎部を沿うようにラッチヘッドを乗り越えてスライドし、該ラッチレバーを板ばねの作用に反して羽根付きディスクから離れる方向へ押し付ける。先に阻止されていた羽根部が該ラッチレバーのラッチヘッドを通過すると直ちに、該ラッチヘッドは、再び羽根部の間の空所へと押し入れられ、タペットの新たな繰り出しにより、羽根部のストップ（当接）のために適切な位置においてロックされる。
【００２１】
介在されたラッチレバーの長所は、タペットにおける必要な保持力がラッチレバーのレバー長に応じて減少されているということにある。従ってタペットの引き込みに使われる電気的なエネルギが一段と減少されている。それに加え、阻止すべき構成部材の、タペットの誤制御により発生しうる損傷は、カムディスクの制御機構と接続状態にはない面でしか発生しない。
【００２２】
ストローク式ソレノイドによるタペットの引き込み時には、当接により阻止されている構成部材とタペットとの間の摩擦力が克服されなくてはならない。これらの摩擦力は、材料に依存し、そして阻止される構成部材の当接押圧力に依存する。それに加え、比較的強い静止摩擦から比較的弱い滑り摩擦への移行が実行されなくてはならない。様々な影響が制御特性における遅れをもたらすことがありえるが、これらの遅れは、要求される短いシャッタ時間において不確実性をもたらすことになる。
【００２３】
摩擦に依存する障害を減少させるために、タペットのヘッドは僅かに円錐形状にとがっている。カムディスクのカム又は歯付きディスクの歯部ないしラッチヘッドの側面部における阻止すべき面は、前記円錐体（円錐体の円錐面）に対して平行に、同様に傾斜が付けられている。この傾斜は、ブレード支持体の面に対する垂線に対し、僅かな角度で傾いていることを意味する。その際、タペットの引き込み時には、静止摩擦の克服後に、阻止されていた構成部材の旋回運動が、タペットの引き込みに対して僅かに遅れて進行するという驚くべき効果が発生する。従ってタペットは、先に阻止されていた構成部材に対して接触することなく完全に引き込むことができる。また静止摩擦の減少は、タペットヘッドがセラミック材料から製造されるか又はセラミック被覆部を有することにより達成することができる。
【００２４】
本発明による制御装置の各々の実施例が図面に模式的に図示されている。以下、これらの実施例について図面を参照しながら詳細に説明する。
【図面の簡単な説明】
【００２５】
【図１】シャッタブレードの閉位置において、カムディスクと直接的な係合状態にあるタペットを示す図である。
【図２】シャッタブレードの開位置において、図１と同様の配置構成を示す図である。
【図３】シャッタブレードの閉位置において、カムディスクと係合状態にある歯付きディスクを示す図である。
【図４】シャッタブレードの開位置において、図３と同様の配置構成を示す図である。
【図５】シャッタブレードの閉位置において、ラッチレバーを有する羽根付きディスクを示す図である。
【図６】シャッタブレードの開位置において、図５と同様の配置構成を示す図である。
【図７】保持位置において、円錐形状のタペットヘッドを有するタペットを示す図である。
【図８】引き込み位置において、上記タペットを示す図である。
【実施例１】
【００２６】
図１は、円環形状のブレード支持体１を部分的に示している。ブレード支持体１はシャッタ開口部２を包囲している。ブレード支持体１には複数のシャッタブレード３が各々旋回アーム４により旋回可能に支持（枢支）されている。旋回アーム４の一つがシャッタブレード３を装備した形で図示されている。図１の他方の旋回アーム４は（図面の見易さのために）シャッタブレード３を装備していない形で図示されている。図１においてシャッタブレード３は全体としてシャッタ開口部２を遮蔽している（閉位置）。
【００２７】
シャッタブレード３の旋回運動のための調節装置として、ブレード支持体１には環形状（リング形状）のカムディスク５が、シャッタ開口部２に対して同心に、矢印方向において連続的に回転可能に支持されている。カムディスク５の各々のカムは、矢印方向において急勾配の調節傾斜部（調節立ち上がり部）６と、カムヘッド７から出発して次の調節傾斜部に至るまで（円の中心に向かって見て）凹状に弧を描いて穏やかに下降する傾斜部とを有し、従って連続する２つのカムヘッド７の間にはカムの谷間８が存在している。
【００２８】
矢印方向におけるカムディスク５の回転時には調節傾斜部６が旋回アーム４を連行し、それによりシャッタブレード３がシャッタ開口部２から外側へ出ていくように旋回される。
【００２９】
シャッタブレード３の閉位置の確保（ロック）のためにカムディスク５の回転は、図１に図示された位置において機械的に阻止（ブロック）されなくてはならない。そのためにブレード支持体１には（図１で見て）ブレード支持体１の下側に装着されたストローク式ソレノイド(Hubmagnet)の、カムディスク５の面に対して垂直に移動可能な第１タペット９が設けられている。第１タペット９は、繰り出された状態において、該第１タペット９がシャッタブレード３の閉位置においてカムの調節傾斜部６を直接的に阻止するように位置決めされている。第１タペット９は、非図示のストローク式ソレノイドの案内部において、該第１タペット９の軸方向に作用する機械的なばねの押圧力のもとに支持することができ、該ばねは、垂直方向の衝突損傷を回避するために、阻止すべきカムの調節傾斜部６が第１タペット９に達する前に第１タペット９をストローク式ソレノイドの非通電状態においてカムの谷間８へ押し出す。第１タペット９のこの機械的なはじき出し（突出運動）は、ストローク式ソレノイドの作動のための電気的なエネルギを節約する。
【００３０】
図２は、シャッタブレード３の開位置において、図１と同様の配置構成を示している。ストローク式ソレノイドの通電により第１タペット９は引き込まれ、従ってカムディスク５は、非図示の駆動部の作用のもと矢印方向に回転することができる。先に阻止されていたカムの調節傾斜部６が引き込まれた第１タペット９を越えると直ちに、同種の第２タペット１０が次のカムの谷間８へ挿入される。この第２タペット１０は、旋回アーム４（の係合端）がカムヘッド７上に載置したときに該第２タペット１０が次のカムの調節傾斜部６を阻止するように位置決めされている。カムヘッド７の高さと旋回アーム４の長さとは、カムの調節傾斜部６の上端部の到達時において旋回アーム４に固定されたシャッタブレード３がシャッタ開口部２を開放（開位置）するように互いに調整（マッチング）されている。
【００３１】
第２タペット１０を引き込んでカムディスク５の更なる回転を解放した後に各々の旋回アーム４は、各々のカムヘッド７を乗り越えて次のカムの谷間８の方向に向かう。この際の旋回アーム４の戻り運動(Ruecklauf)は、実質的に、旋回アーム４内に取り付けられた回転ばねによりもたらされる。カムヘッド７上に旋回アーム４が載置したときに起こりうる停滞（拘束 Haftung）を克服するために、補助的に第１板ばね（第１リーフスプリング）１１が設けられており、該第１板ばね１１は、旋回アーム４の外側への旋回時に張力が加えられる。それによりシャッタの制御は改善される。
【００３２】
前に（第２タペット１０により）阻止されていたカムが、引き続き引き込まれている第１タペット９（の位置）を通り過ぎると直ちに、該第１タペット９は再び次のカムの谷間８へ挿入され、従って引き続く（後続の）カムの調節傾斜部６が第１タペット９との当接によりシャッタブレード３の閉位置において阻止される。それによりシャッタサイクルが終了される。
【実施例２】
【００３３】
図３に図示された実施例では、カムディスク５が環形状のディスクとして形成されており、該ディスクは、ブレード支持体１内において面一に支持されている。この際、カムは、隆起してブレード支持体１の上に位置するように形成されており、従ってブレード支持体１に旋回可能に配設された旋回アーム４は、カムと係合状態になることができる。カムディスク５のこの構成は、該カムディスク５のより簡単な回転案内とより大きな剛性とを可能にする。
【００３４】
この際、カムの阻止は、ブレード支持体１上で自由回転可能に支持されており鋸歯形状の歯部１３を備えた歯付きディスク１２を介在して行われる。歯部１３のより急勾配の傾斜部（第１歯部傾斜部 Flanke）がカムの調節傾斜部６と協働する。歯部１３のより平坦な（穏やかな）傾斜部（第２歯部傾斜部）は、その形状においてカムの谷間８の形状に合うよう適合されている。歯付きディスク１２は、金属製であってもよい。但し、歯部１３の傾斜部は、カムの調節傾斜部６とは滑り接続状態にあるだけであり、カムは通常、プラスチック材料から製造されている。従って互いに対する損傷を危惧する必要はない。
【００３５】
第１タペット９の繰り出しにより、歯付きディスク１２の回転は、阻止位置であって、旋回アーム４がシャッタブレード３を閉位置へ旋回した位置において歯付きディスク１２の歯部１３の１つがカムディスク５の回転を停止（保持）する阻止位置において阻止される。この阻止位置において第２タペット１０は同様に繰り出されていることが可能であるが、その理由は、該第２タペット１０が矢印方向における歯付きディスク１２の回転を妨害しないためである。第１タペット９の引き込み後に歯付きディスク１２は、１つの歯部１３が第２タペット１０に当たるまで、カムディスク５（の矢印方向の回転）により矢印方向に更に回転される。この位置において第１タペット９は、既に再び繰り出されていることが可能である。この位置においてシャッタは開放位置にある（図４）。
【００３６】
第１タペット９と第２タペット１０は、この実施例においては比較的離れて位置しており、それによりブレード支持体１におけるストローク式ソレノイドの組み立てが容易化される。歯部の間の異なった空所に第１タペット９と第２タペット１０を配置することは、これらのタペットの時間的な制御を簡素化するが、その理由は、その都度につき阻止していないタペットを、阻止しているタペットの引き込み前に既にスタンバイ位置へもたらすことができるためである。
【実施例３】
【００３７】
上述の阻止システム（ブロックシステム）の一展開形態が図５に図示されている。ここでは、周部に配設され互いに離間され且つ対称的に形成された羽根部（ギヤの歯状突部）１５を備えた羽根付きディスク１４がカムディスク５のカムと作用接続している。このケースでは、羽根部１５は、切り替え可能な第１タペット９と第２タペット１０を介して直接的に阻止されるのではなく、旋回可能に支持された一腕式（ワンアーム式ないし片持ち式）の第１ラッチレバー（第１キャッチレバー）１６と第２ラッチレバー（第２キャッチレバー）１７により阻止される。これらの第１ラッチレバー１６と第２ラッチレバー１７は、各々、額部（端面部）１９と顎部（側端部）２０を備えたラッチヘッド１８を有する。第１ラッチレバー１６と第２ラッチレバー１７は（各々に対応して設けられた）第２板ばね２１（複数）を介して羽根付きディスク１４の方向に押し付けられ、また羽根部１５を介して羽根付きディスク１４から離れていく方向にも第２板ばね２１に抗して押し付け可能である。しかしこの離れていく方向に関しては第１ラッチレバー１６と第２ラッチレバー１７は第１タペット９と第２タペット１０により阻止可能となっている。
【００３８】
図５に図示されたシャッタブレード３の閉位置においてカムディスク５は羽根付きディスク１４を第１ラッチレバー１６におけるラッチヘッド１８の額部１９に対して押し付けている。第１タペット９が繰り出されており、従って第１ラッチレバー１６が羽根部１５の押し付けのもと更に外側へ押し出されることを阻止している。第１ラッチレバー１６の額部１９における羽根部１５の当接により阻止された羽根付きディスク１４は、別の羽根部１５を介してカムディスク５を阻止し、即ちカムディスク５の回転を阻止し、シャッタブレード３の閉位置において旋回アーム４を保持している。
【００３９】
第２ラッチレバー１７は、同様に第２タペット１０により該第２タペット１０の位置において更なる外側への旋回に対して阻止されるが、羽根付きディスク１４の矢印方向における回転可能性を阻止してはいない。第１タペット９の引き込み後にカムディスク５が羽根付きディスク１４を回転させる。この際、第１ラッチレバー１６の額部１９に当接する羽根部１５は該額部１９に沿うようにスライドし、第１ラッチレバー１６を第２板ばね２１の作用に抗して外側へ押し付ける。同時に他の羽根部１５が第２ラッチレバー１７における顎部２０にぶつかり、従ってシャッタブレード３の開位置において羽根付きディスク１４とカムディスク５の更なる回転を阻止する（図６）。
【００４０】
第１ラッチレバー１６のラッチヘッド１８は、第２板ばね２１の作用のもと再び羽根部１５の間の空所へ押し入れられ、この位置において第１タペット９の繰り出しにより位置固定することができる。第２タペット１０の引き込み後に、第２ラッチレバーの顎部２０に当接する羽根部１５は顎部２０に沿うようにスライドし、そして別の羽根部１５が再び第１ラッチレバー１６の額部１９に当接して図５に示す状態が再び確立されるに至るまで、第２ラッチレバー１７を外側へ押し付ける。
【００４１】
第１ラッチレバー１６と第２ラッチレバー１７の（外側への）押し出し時に克服すべき押し付け力は、これらのラッチレバーのレバー長により（てこの原理により）減少され、従ってシャッタブレード３の限界位置（開閉位置）の間において遥かに速い解放時間（リリース時間）が可能である。
【００４２】
それに応じ、同様に第１ラッチレバー１６と第２ラッチレバー１７における第１タペット９と第２タペット１０の保持力は減少され、従ってストローク式ソレノイドにおいて第１タペット９と第２タペット１０の引き込みのために使われる電気的なエネルギーは減少される。
【００４３】
第１タペット９及び第２タペット１０と、直接的に阻止すべき構成部材５、１２、１８との間における摩擦に依存する力を減少させるために、タペットヘッド２２を円錐形状に先細りに形成することが有利であり、その様子がラッチレバーの阻止の例として図７及び図８に図示されている。タペットヘッド２２の形状に適合させて、阻止すべき構成部材１８における該タペットヘッド２２と協働（係合）する面２３も傾斜されている。補助的にタペットヘッド２２をセラミックコーティングするか又は載置して取り付けられるセラミック円錐形状部材として構成することも可能である。
【００４４】
その際、第１タペット９の引き込み時には、タペットヘッド２２と構成部材１８の面２３との間の静止摩擦を克服した後には、多大に加速された第１タペット９の引き込みを可能とするタペットヘッド２２に対する空隙２４が生じていることが見てとれる。
【符号の説明】
【００４５】
１    ブレード支持体
２    シャッタ開口部
３    シャッタブレード
４    旋回アーム
５    カムディスク
６    急勾配の調節傾斜部（調節立ち上がり部）
７    カムヘッド
８    カムの谷間
９    第１タペット
１０    第２タペット
１１    第１板ばね
１２    歯付きディスク
１３    歯部
１４    羽根付きディスク
１５    羽根部
１６    第１ラッチレバー
１７    第２ラッチレバー
１８    ラッチヘッド
１９    ラッチヘッドの額部
２０    ラッチヘッドの顎部
２１    第２板ばね
２２    タペットヘッド（円錐形状である）
２３    構成部材面（傾斜している）
２４    空隙
【図１】
0005596798.tif 000002
【図２】
0005596798.tif 000003
【図３】
0005596798.tif 000004
【図４】
0005596798.tif 000005
【図５】
0005596798.tif 000006
【図６】
0005596798.tif 000007
【図７】
0005596798.tif 000008
【図８】
0005596798.tif 000009